(57)【要約】【課題】薄型化が可能である新規な画像入出力装置を提供する。【解決手段】画像入出力装置１００は、画像情報検知対象２００に照射された光Ｌの反射光Ｌを受光することによりその画像情報を検知する画像情報検知部１３０と、該画像情報検知部１３０で検知した画像情報に基づいた画像を表示する自発光型の画像表示部１２０と、が表裏一体に設けられている。自発光型の画像表示部１２０は、画像情報検知部１３０を介して画像情報検知対象２００に対して光Ｌを照射する画像情報検知用光源を構成する。【選択図】図２
2004138768.tif 000002
【特許請求の範囲】
【請求項１】
画像情報検知対象に照射された光の反射光を受光することによりその画像情報を検知する画像情報検知部と、該画像情報検知部で検知した画像情報に基づいた画像を表示する自発光型の画像表示部と、が表裏一体に設けられた画像入出力装置であって、
上記自発光型の画像表示部は、上記画像情報検知部を介して画像情報検知対象に対して光を照射する画像情報検知用光源を構成することを特徴とする画像入出力装置。
【請求項２】
請求項１に記載された画像入出力装置において、
上記画像情報検知用光源を構成する画像表示部は、画像表示側と画像情報検知側との両側に光を発するように構成されていることを特徴とする画像入出力装置。
【請求項３】
請求項１に記載された画像入出力装置において、
上記画像情報検知用光源を構成する画像表示部は、画像表示側にのみ光を発するように構成されており、
上記画像情報検知用光源を構成する画像表示部から画像表示側に発された光を画像情報検知側に反射する光反射手段を備えたことを特徴とする画像入出力装置。
【請求項４】
請求項１に記載された画像入出力装置において、
上記画像情報検知部は、基板上に複数の光検出素子が配設されてなり、
上記基板は、上記複数の光検出素子が配設された側の面が内側を向くように設けられていることを特徴とする画像入出力装置。
【請求項５】
請求項１に記載された画像入出力装置において、
上記画像情報検知用光源を構成する画像表示部が画像情報検知の際に複数部分に分かれて順次発光すると共に、該画像表示部の発光した部分に対応した上記画像情報検知部の部分が画像情報を検知して保持するように構成されていることを特徴とする画像入出力装置。
【請求項６】
請求項５に記載された画像入出力装置において、
上記画像表示部の全体の発光が完了する前に、既に画像情報を検知して保持した上記画像情報検知部の部分からの画像情報の読み取りを開始するように構成されていることを特徴とする画像入出力装置。
【請求項７】
画像情報検知対象に照射された光の反射光を受光することによりその画像情報を検知して保持する画像情報検知手段から画像情報を読み取る画像情報読取方法であって、
画像情報検知対象を複数の部分に分けて光を順次照射すると共に、光が照射された該画像情報検知対象の部分に対応して上記画像情報検知手段でその画像情報を検知して保持し、
上記画像情報検知対象の全体の光の照射が完了する前に、既に上記画像情報検知手段で画像情報が検知されて保持された該画像情報検知対象の部分についての該画像情報検知手段からの画像情報の読み取りを開始することを特徴とする画像情報読取方法。
【発明の詳細な説明】
【０００１】
【発明の属する技術分野】
本発明は、画像情報検知対象に照射された光の反射光を受光することによりその画像情報を検知する画像情報検知部と、その画像情報検知部で検知した画像情報に基づいた画像を表示する自発光型の画像表示部と、が表裏一体に設けられた画像入出力装置及びその画像情報読取方法に関する。
【０００２】
【従来の技術】
フラット形態のイメージセンサとディスプレイとを表裏一体に背中合わせに配置した画像入出力装置が開発されている。
【０００３】
例えば、下記特許文献１には、フラットパネルディスプレイ等の表示装置の裏面に外部情報取込用のスキャナが一体的に具備されていると共に、表示装置のバックライト光源がスキャナ用の光源として共用され、さらに、そのスキャナ及び表示装置が情報処理装置と共に一体的に構成され、スキャナからのスキャン情報が表示装置に表示されるようにした外部情報取込／情報処理／ディスプレイ装置が開示されており、これによれば、スキャナが装置の一部を構成しているので、スキャナからの情報を小型、軽量の装置で表示させることができる、との内容が記載されている。
【０００４】
下記特許文献２には、原稿上に密着して載置され読取エリアの原稿画像を読み取る完全密着型二次元イメージセンサと、その二次元イメージセンサの上方に設けられた液晶ディスプレイと、二次元イメージセンサと液晶ディスプレーとの間に設けられ照射光を発して二次元イメージセンサを通して原稿面を照射すると共に液晶ディスプレイを画像表示させる両面出射型光源と、からなるカード型ディスプレイ装置が開示されており、これによれば、読取部と表示部とを一体化したカード状の装置によって、原稿上に密着した二次元イメージセンサにより原稿画像を読み取り、それを直ちに液晶ディスプレイに表示することができる、との内容が記載されている。
【０００５】
下記特許文献３には、二次元密着型のイメージセンサと、そのイメージセンサにより入力された画像情報の全部又は一部を拡大表示する液晶ディスプレイとを有し、イメージセンサの読取面と液晶ディスプレイの表示面とが互いに表裏面となるように配置され、読み取り範囲上に表示面を位置させた画像入出力装置が開示されており、これによれば、読み取り範囲上に表示面が位置するようにしているので、画像の入力場所と表示場所の位置ずれがなく、読み取り画像を確認しながら取得できるので，読み取りミスをなくすことができ、また、読み取り画像の拡大機能や翻訳機能を付加することもでき、コンパクトで使い勝手の良い画像入出力装置を実現することができる、との内容が記載されている。また、特許文献３に開示された画像入出力装置では、表側の液晶ディスプレイと裏側のイメージセンサとの間隙に平面光源（光源＋反射部材＋導光板）が配置されており、これが液晶ディスプレイ用のバックライトとして用いられていると共にイメージセンサ用の光源（原稿を照らす光源）としても用いられている。
【０００６】
【特許文献１】
特開平５−１００６４５号公報
【特許文献２】
特開平６−１７５５９０号公報
【特許文献３】
特開平７−３２２０１２号公報
【０００７】
【発明が解決しようとする課題】
ところで、画像入出力装置を携帯型の情報収集ツールとして使用する場合，携帯性を向上させるためには装置の厚みをできるだけ薄くする必要がある。
【０００８】
しかしながら、図９に示すように、従来の画像入出力装置３００では、ディスプレイ３１０、光源３２０及びイメージセンサ（スキャナ）３３０の３つの部品が重ね合わされた構造となっているため薄型化を図ることが困難であった。
【０００９】
本発明は、かかる点に鑑みてなされたものであり、薄型化が可能である新規な画像入出力装置を提供することを目的とする。
【００１０】
【課題を解決するための手段】
上記目的を達成する本発明は、画像表示部を自発光型のものとして、それ自体を画像情報検知用光源として用いるようにしたものである。
【００１１】
具体的には、本発明の画像入出力装置は、画像情報検知対象に照射された光の反射光を受光することによりその画像情報を検知する画像情報検知部と、該画像情報検知部で検知した画像情報に基づいた画像を表示する自発光型の画像表示部と、が表裏一体に設けられたものであって、
上記自発光型の画像表示部は、上記画像情報検知部を介して画像情報検知対象に対して光を照射する画像情報検知用光源を構成することを特徴とする。
【００１２】
上記の構成によれば、自発光型の画像表示部自体が画像情報検知用光源を構成しているので、従来のもののように独立した部品としての画像情報検知用光源が必要でなく、少なくともその分だけ装置の薄型化を図ることができる。
【００１３】
ここで、自発光型の画像表示部としては、例えば、有機エレクトロルミネッセンス（ＥＬ）ディスプレイ、無機ＥＬディスプレイ、プラズマアドレスディスプレイ等を挙げることができるが、薄型化という観点からは有機ＥＬディスプレイや無機ＥＬディスプレイが好適である。
【００１４】
本発明の画像入出力装置は、上記画像情報検知用光源を構成する画像表示部が画像表示側と画像情報検知側との両側に光を発するように構成されているものであってもよい。
【００１５】
上記の構成は、画像表示部が画像表示側と画像情報検知側との両側に光を発するというものであるが、かかる構成は、自発光型の画像表示部の発光方向を規制しないという簡単な構造によって実現することができる。
【００１６】
本発明の画像入出力装置は、上記画像情報検知用光源を構成する画像表示部が画像表示側にのみ光を発するように構成されており、上記画像情報検知用光源を構成する画像表示部から画像表示側に発された光を画像情報検知側に反射する光反射手段を備えたものであってもよい。
【００１７】
上記の構成によれば、画像表示部が発光方向が規制されて画像表示側にのみ光を発するように構成されているので、画像表示の際には、画像表示部からの光が１００％画像表示のために使用されることから高い表示品位を得ることができる一方、画像表示部からの光を画像情報検知側に反射する光反射手段を備えているので、画像情報を検知する際には、光反射手段によって反射した反射光を画像情報検知対象に照射することができる。
【００１８】
本発明の画像入出力装置は、上記画像情報検知部が基板上に複数の光検出素子が配設されてなり、上記基板が、上記複数の光検出素子が配設された側の面が内側を向くように設けられているものであってもよい。
【００１９】
基板が光検出素子が配設された側の面が外側を向くように設けられていると、光検出素子が水分や酸素の接触によって劣化するのを防ぐために光検出素子を被覆する保護層を設けることが必要となるが、上記の構成によれば、光検出素子が配設された側の面が内側を向くように基板が設けられているので、基板によって水分や酸素の光検出素子への接触が防がれ、簡略な構造で光検出素子の確実な封止を図ることができる。
【００２０】
本発明の画像入出力装置は、上記画像情報検知用光源を構成する画像表示部が画像情報検知の際に複数部分に分かれて順次発光すると共に、該画像表示部の発光した部分に対応した上記画像情報検知部の部分が画像情報を検知して保持するように構成されているものであってもよい。
【００２１】
上記の構成によれば、画像情報検知用光源を構成する画像表示部が画像情報検知の際に複数部分に分かれて順次発光するように構成されているので、全体が一斉に発光する場合に比べて画像表示部の駆動回路系の負荷が低いものとなる。
【００２２】
この場合、本発明の画像入出力装置は、上記画像表示部の全体の発光が完了する前に、既に画像情報を検知して保持した上記画像情報検知部の部分からの画像情報の読み取りを開始するように構成されているものであってもよい。
【００２３】
上記の構成によれば、画像表示部の全体の発光が完了する前に、既に画像情報を検知して保持した画像情報検知部の部分からの画像情報の読み取りを開始するように構成されているので、画像情報検知部が複数の部分に分かれてそれぞれが画像情報を検知して保持するものの、画像情報の読み取りを早期に完了させることができる。これの具体的な構成としては、例えば、画像表示部が線順次走査で画像情報検知のための発光を行ない、その線順次走査の発光がなされた際に、その発光に対応した画像情報検知部の部分に沿って画像情報を保持し、画像情報を保持した画像情報検知部の部分から順次画像情報を読み取るものを挙げることができる。
【００２４】
本発明の画像情報読み取り方法は、画像情報検知対象に照射された光の反射光を受光することによりその画像情報を検知して保持する画像情報検知手段から画像情報を読み取るものであって、
画像情報検知対象を複数の部分に分けて光を順次照射すると共に、光が照射された該画像情報検知対象の部分に対応して上記画像情報検知手段でその画像情報を検知して保持し、
上記画像情報検知対象の全体の光の照射が完了する前に、既に上記画像情報検知手段で画像情報が検知されて保持された該画像情報検知対象の部分についての該画像情報検知手段からの画像情報の読み取りを開始することを特徴とする。
【００２５】
【発明の実施の形態】
以下、本発明の実施形態を図面に基づいて詳細に説明する。
【００２６】
（実施形態１）
図１は、本発明の実施形態１に係る画像入出力装置１００を示す。図２は、画像入出力装置１００の部分的な断面を示す。
【００２７】
この画像入出力装置１００は、装置本体１１０が長方形のパネル状に形成されたものであり、その表面側に長方形の有機ＥＬディスプレイ（画像表示部）１２０が設けられていると共に、その裏面側に有機ＥＬディスプレイ１２０に対応して長方形のイメージセンサ（画像情報検知部、画像情報検知手段）１３０が設けられている。つまり、この画像入出力装置１００は、有機ＥＬディスプレイ１２０とイメージセンサ１３０とが表裏一体に設けられたものである。なお、表面側の有機ＥＬディスプレイ１２０の外側には複数の操作スイッチ１４０が設けられている。
【００２８】
有機ＥＬディスプレイ１２０は、ガラス製又は樹脂製の透明な有機ＥＬディスプレイ基板１２１上に各々が１つの画素をなす複数の有機ＥＬ素子１２２がマトリクスを形成するように配設され、その有機ＥＬディスプレイ基板１２１が有機ＥＬ素子１２２の配設された側の面が内側となるように設けられた構成となっている。有機ＥＬディスプレイ基板１２１のその内側の面の上には、相互に並行に延びるように複数の走査線が設けられていると共に、それらの走査線と異なる層に走査線と直交する方向に相互に並行に延びるように複数の信号線が設けられており、それらの走査線及び信号線によって格子が形成され、その格子の各交差部に対応して有機ＥＬ素子１２２が設けられている。各有機ＥＬ素子１２２は、ポリシリコンからなる薄膜トランジスタ（ＴＦＴ）等のスイッチング素子１２３を介して対応する走査線に接続されていると共に、対応する信号線にも接続されている。
【００２９】
各有機ＥＬ素子１２２は、基板側から順に透明電極１２２ａ、正孔注入輸送層１２２ｂ、有機ＥＬ層１２２ｃ及び金属電極１２２ｄが順に積層された構造となっている。透明電極１２２ａは、ＩＴＯ（Ｉｎｄｉｕｍ　Ｔｉｎ　Ｏｘｉｓｉｄｅ）等からなる陽極であり、正孔注入輸送層１２２ｂに正孔を注入する。正孔注入輸送層１２２ｂは、フタロシアニン系化合物や芳香族アミン系化合物等からなり、透明電極１２２ａから注入されたホールを輸送してそれを有機ＥＬ層１２２ｃに供給する。金属電極１２２ｄは、アルミニウムやマグネシウム等からなる陰極であり、有機ＥＬ層１２２ｃに電子を注入する。有機ＥＬ層１２２ｃは、厚さ１μｍ程度の芳香族環化合物や複素環化合物等の有機蛍光体からなる薄膜であり、金属電極１２２ｄからの電子と透明電極１２２ａ及び正孔注入輸送層１２２ｂからの正孔とが再結合した際に発光する。ここで、有機ＥＬ層１２２ｃは全方位に向かって発光し、しかも、金属電極１２２ｄがハーフミラー状に形成され、或いは、金属電極１２２ｄに開口部が形成されているために有機ＥＬ層１２２ｃからの光Ｌが画像情報検知面側にも漏れるので、有機ＥＬディスプレイ１２０は、画像表示面側と画像情報検知面側との両側に光Ｌを発するように構成されたものとなっている。
【００３０】
イメージセンサ１３０は、ガラス製又は樹脂製の透明なイメージセンサ基板１３１上に複数の光検出素子１３２がマトリクスを形成するように配設され、そのイメージセンサ基板１３１が光検出素子１３２の配設された側の面が内側となるように設けられた構成となっている。イメージセンサ基板１３１のその内側の面の上には、相互に並行に延びるように複数の走査線が設けられていると共に、それらの走査線と異なる層に走査線と直交する方向に相互に並行に延びるように複数の信号線が設けられており、それらの走査線及び信号線によって格子が形成され、その格子の各交差部に対応して光検出素子１３２が設けられている。各光検出素子１３２は、例えば、フォトダイオード、フォトトランジスタ、フォトコンダクタなどで構成され、アモルファスシリコンやポリシリコンからなる薄膜トランジスタ（ＴＦＴ）等のスイッチング素子１３３を介して対応する走査線に接続されていると共に、対応する信号線にも接続されている。イメージセンサ１３０の走査線、信号線及び光検出素子１３２は、それぞれ有機ＥＬディスプレイ１２０の走査線、信号線及び有機ＥＬ素子１２２と１対１対応となるように設けられている。
【００３１】
有機ＥＬディスプレイ１２０を構成する有機ＥＬディスプレイ基板１２１と、イメージセンサ１３０を構成するイメージセンサ基板１３１とは、それぞれの素子側の面が内側を向いて対向するように設けられている。そして、図３に示すように、それらの両基板は周辺部にシール材１５０が介設され、両基板及びシール材１５０で区画された領域に接着性樹脂が充填された樹脂層１６０が形成されており、それによって有機ＥＬ素子１２２及び光検出素子１３２の空気や水分への接触が回避されている。また、樹脂層１６０の中間には有機ＥＬディスプレイ基板１２１とイメージセンサ基板１３１とを仕切るように金属箔シートやカーボンシート等からなる遮光膜１７０が設けられており、それによって両基板の間を進行するクロストーク（迷光）の抑制や外光の遮断が図られている。遮光膜１７０には各有機ＥＬ素子１２２毎にその一部が露出し且つそれに対応した光検出素子１３２が遮蔽されるように開口部１７１が形成されており、これによって有機ＥＬ素子１２２からの光Ｌが開口部１７１を通って画像情報検知面側に発せられ、その光Ｌがイメージセンサ基板１３１を介して原稿（画像情報検知対象）２００に照射され、その反射光Ｌが光検出素子１３２に入射する構成となっている。つまり、この画像入出力装置１００では、有機ＥＬディスプレイ１２０は、イメージセンサ１３０を介して原稿２００に対して光Ｌを照射する画像情報検知用光源を構成している。
【００３２】
装置本体１１０には、有機ＥＬディスプレイ１２０及びイメージセンサ１３０の他にそれらの周辺に、ドライバー、駆動回路、メモリー、ＣＰＵ、電源部等が設けられている。
【００３３】
次に、この画像入出力装置１００による画像の入出力動作について説明する。
【００３４】
イメージセンサ１３０を下側にして原稿２００を覆うように画像入力装置を載置し、その状態で画像入出力のスイッチを入れると、有機ＥＬディスプレイ１２０が線順次走査で発光する。具体的に説明すると、有機ＥＬディスプレイ１２０のいずれかの走査線に走査電圧が与えられると、その走査線に対応した行のＴＦＴが全てオンとなってその行の有機ＥＬ素子１２２が選択状態となり、その選択状態となった有機ＥＬ素子１２２に信号線から所定の信号電圧が与えられると各有機ＥＬ素子１２２が発光し、有機ＥＬディスプレイ１２０が部分的に線状に発光する。このことから、有機ＥＬディスプレイ１２０の走査線に、図４に示すように、第１行、第２行、・・・、第ｎ行、第ｎ＋１行、・・・の順に走査電圧が与えられることにより線状の発光が列方向に流れ、線順次走査による発光がなされることとなる。つまり、画像情報検知用光源を構成する有機ＥＬディスプレイ１２０が画像情報検知の際に複数部分に分かれて順次発光することとなる。このとき、有機ＥＬディスプレイ１２０からの光Ｌは、画像表示面側のみならず、各有機ＥＬ素子１２２からの光Ｌが遮光膜１７０の開口部１７１から発せられることから画像情報検知面側にも発せられる。その画像情報検知面側に発された光Ｌは原稿２００に照射され、その反射光Ｌが発光した行に対応した光検出素子１３２に入射し、各光検出素子１３２は受光した反射光の明／暗に対応した画像情報を電気信号として保持する。
【００３５】
光検出素子１３２で保持された画像情報は、イメージセンサ１３０を線順次走査することにより読み取られる。具体的に説明すると、イメージセンサ１３０のいずれかの走査線に走査電圧が与えられると、その走査線に対応した行のＴＦＴが全てオンとなってその行の光検出素子１３２が選択状態となり、その選択状態となった光検出素子１３２に保持された画像情報が信号線を介して読み取られる。このことから、既に線状の発光が済んで各光検出素子１３２に画像情報が保持された行のイメージセンサ１３０の走査線に順次走査電圧が与えられることにより、線順位走査による画像情報の読み取りがなされることとなる。ここで、有機ＥＬディスプレイ１２０の走査線には、図４に示すように、第１行、第２行、・・・、第ｎ行、第ｎ＋１行、・・・の順に走査電圧が与えられるが、イメージセンサ１３０の走査線には、図４に併せて示すように、有機ＥＬディスプレイ１２０の第２行の走査線に走査電圧が与えられたときに第１行の走査線に走査電圧が与えられ、有機ＥＬディスプレイ１２０の第ｎ＋１行の走査線に走査電圧が与えられたときに第ｎ行の走査線に走査電圧が与えられる。つまり、イメージセンサ１３０では、有機ＥＬディスプレイ１２０の走査電圧が与えられている走査線の１つ前の走査線に対応した走査線に走査電圧が与えられ、有機ＥＬディスプレイ１２０の全体の発光が完了する前に、既に画像情報を検知して保持したイメージセンサ１３０の部分についての画像情報の読み取りが開始されることとなる。これは、有機ＥＬディスプレイ１２０の線順位走査による発光によって画像情報を保持したイメージセンサ１３０の部分からいち早く画像情報を読み取るようにしたものである。このようにして読み取られた全ての画像情報は、明／暗の２次元分布により、信号処理回路で感度補正（階調補正）や照度分布補正、画素欠陥補正などの画像処理が施されて修正画像情報とされる。
【００３６】
続いて、有機ＥＬディスプレイ１２０が線順次走査により修正画像情報に基づいた画像を表示する。具体的に説明すると、有機ＥＬディスプレイ１２０の走査線に、第１行、第２行、・・・、第ｎ行、第ｎ＋１行、・・・の順に走査電圧が与えられることにより、走査電圧が与えられた走査線に対応した行のＴＦＴが全てオンとなってその行の有機ＥＬ素子１２２が選択状態となり、その選択状態となった有機ＥＬ素子１２２に信号線から修正画像情報に基づいた信号電圧が与えられると各有機ＥＬ素子１２２がその信号電圧に対応した輝度で発光し、線順次走査による画像表示がなされることとなる。
【００３７】
以上説明した実施形態１の画像入出力装置１００によれば、自発光型の有機ＥＬディスプレイ１２０自体が画像情報検知用光源を構成しているので、従来のもののように独立した部品としての画像情報検知用光源が必要でなく、少なくともその分だけ装置の薄型化が図られており、携帯性に非常に優れている。なお、遮光膜１７０は、数ｍｍの厚みを有する平面光源に比べると１桁以上も厚みが薄いため、装置全体の厚みに対する影響は非常に小さい。
【００３８】
また、従来のもののように独立した部品として平面光源を用いた場合、平面光源として広く使用されている（エッジ光源＋導光板）方式や（直下型光源＋拡散板）方式のものでは、イメージセンサ１３０の照度の面内分布を均一にすることが困難であり、２０〜３０％も発生する大きな照度ムラを補正する必要があった。しかしながら、上記の構成の画像入出力装置１００では、有機ＥＬディスプレイ１２０自体が画像情報検知用光源を構成しているので、イメージセンサ１３０の照度の面内分布が概ね均一であり（照度ムラ＜約５％）、照度ムラに起因する信号補正が容易である。
【００３９】
また、画像情報検知用光源を構成する有機ＥＬディスプレイ１２０が画像情報検知の際に線順次走査により複数部分に分かれて順次発光するように構成されているので、全体が一斉に発光するものの場合に比べて有機ＥＬディスプレイ１２０の駆動回路系の負荷が低い。
【００４０】
また、有機ＥＬディスプレイ１２０の線順位走査による全体の発光が完了する前に、既に画像情報を検知して保持したイメージセンサ１３０の部分から画像情報の読み取りを開始するように構成されているので、イメージセンサ１３０が複数の部分に分かれてそれぞれが画像情報を検知して保持するものの、画像情報の読み取りを早期に完了させることができる。
【００４１】
また、有機ＥＬディスプレイ基板が光検出素子が配設された側の面が外側を向くように設けられていると、光検出素子が水分や酸素の接触によって劣化するのを防ぐために光検出素子を被覆する保護層を設けることが必要となるが、上記の構成の画像入出力装置１００では、イメージセンサ基板１３１が光検出素子１３２の配設された側の面が内側を向くように設けられているので、イメージセンサ基板１３１によって水分や酸素の光検出素子１３２への接触が防がれ、かかる簡略な構造で光検出素子１３２の確実な封止が図られている。しかも、保護基板を別途設ける必要がないので、装置全体の薄型化やコストダウン化に寄与している。なお、封止性を向上させるためには，有機ＥＬディスプレイ基板１２１やイメージセンサ基板１３１として、樹脂基板よりも寸法安定性の高いガラス基板の方が適している。
【００４２】
（実施形態２）
図５（ａ）及び（ｂ）は、本発明の実施形態２に係る画像入出力装置１００を示す。なお、実施形態１と同一の名称の部分は同一符号で示す。
【００４３】
この画像入出力装置１００では、各有機ＥＬ素子１２２は、金属電極１２２ｄが有機ＥＬ層１２２ｃからの光Ｌを画像表示面側に反射するように構成されている。従って、有機ＥＬディスプレイ１２０は、画像表示面側のみに光Ｌを発するように構成されたものとなっている。また、この画像入出力装置１００には、有機ＥＬディスプレイ１２０と同外形の蓋１８０が有機ＥＬディスプレイ１２０の一方の短辺に開閉可能に枢支されている。その蓋１８０の裏面側にはミラー（光反射手段）１８１が設けられており、蓋１８０を閉じた状態で有機ＥＬディスプレイ１２０が発光すると、有機ＥＬディスプレイ１２０からの光Ｌがミラー１８１で反射して画像情報検知面側に進行するようになっている。さらに、遮光膜１７０には、ミラー１８１で反射した光Ｌがイメージセンサ基板１３１を介して原稿２００に照射され、その反射光Ｌが光検出素子１３２に入射するように、有機ＥＬ素子１２２と重畳しない領域に開口部１７１が形成されている。
【００４４】
この画像入出力装置１００による画像の入力は、蓋１８０が閉じられた状態で行なわれる。つまり、有機ＥＬディスプレイ１２０からの光Ｌは画像表示面側に発せられるが、その光Ｌがミラー１８１で反射して画像情報検知面側に進行し、その光Ｌが原稿２００に照射され、その反射光Ｌが光検出素子１３２に入射し、各光検出素子１３２が受光した反射光Ｌの明／暗に対応した画像情報を電気信号として保持する。そして、有機ＥＬディスプレイ１２０に出力された画像は、蓋１８０を開けた状態にすることで視認可能となる。
【００４５】
その他の構成及び画像入出力動作は実施形態１と同一である。
【００４６】
以上説明した実施形態２の画像入出力装置１００によれば、有機ＥＬディスプレイ１２０の発光方向が規制されて画像表示面側にのみに光Ｌを発するように構成されているので、画像表示の際には、有機ＥＬディスプレイ１２０からの光Ｌが１００％画像表示のために使用されることから高い表示品位を得ることができる一方、有機ＥＬディスプレイ１２０からの光Ｌを画像情報検知面側に反射するミラー１８１を備えているので、画像情報を検知する際には、ミラー１８１によって反射した反射光Ｌを原稿２００に照射することができる。
【００４７】
その他の作用・効果は実施形態１と同一である。
【００４８】
（実施形態３）
図６は、本発明の実施形態４に係る画像入出力装置１００の部分的な断面を示す。なお、実施形態１と同一の名称の部分は同一符号で示す。
【００４９】
この画像入出力装置１００では、有機ＥＬディスプレイ基板１２１とイメージセンサ基板１３１とは、それぞれの素子側の面が外側を向くように、それらの間に遮光膜１７０を挟んで貼り合わされている。また、各有機ＥＬ素子１２２は、基板側から順に金属電極１２２ｄ、有機ＥＬ層１２２ｃ、正孔注入輸送層１２２ｂ及び透明電極１２２ａが順に積層された構造となっている。さらに、有機ＥＬディスプレイ基板１２１に対向するように樹脂層１２４を介して封止基板１２５が設けられており、これによって有機ＥＬディスプレイ１２０が構成されている。同様に、イメージセンサ基板１３１に対向するように樹脂層１３４を介して保護基板１３５が設けられており、これによってイメージセンサ１３０が構成されている。
【００５０】
その他の構成及び画像入出力動作は実施形態１と同一である。
【００５１】
また、イメージセンサ１３０に保護基板１３５を要しないことによるものを除いては、作用・効果は実施形態１と同一である。
【００５２】
（実施形態４）
図７は、本発明の実施形態４に係る画像入出力装置１００の部分的な断面を示す。なお、実施形態１と同一の名称の部分は同一符号で示す。
【００５３】
この画像入出力装置１００では、有機ＥＬディスプレイ基板１２１は素子側の面が外側を向くように設けられ、イメージセンサ基板１３１は素子側の面が内側を向くように設けられている。また、各有機ＥＬ素子１２２は、基板側から順に金属電極１２２ｄ、有機ＥＬ層１２２ｃ、正孔注入輸送層１２２ｂ及び透明電極１２２ａが順に積層された構造となっている。さらに、有機ＥＬディスプレイ基板１２１に対向するように樹脂層１２４を介して封止基板１２５が設けられており、これによって有機ＥＬディスプレイ１２０が構成されている。
【００５４】
その他の構成、画像入出力動作及び作用・効果は実施形態１と同一である。
【００５５】
（実施形態５）
図８は、本発明の実施形態５に係る画像入出力装置１００の部分的な断面を示す。なお、実施形態１と同一の名称の部分は同一符号で示す。
【００５６】
この画像入出力装置１００では、有機ＥＬディスプレイ基板１２１は素子側の面が内側を向くように設けられ、イメージセンサ基板１３１は素子側の面が外側を向くように設けられている。また、イメージセンサ基板１３１に対向するように樹脂層１３４を介して保護基板１３５が設けられており、これによってイメージセンサ１３０が構成されている。
【００５７】
その他の構成、画像入出力動作及び作用・効果は実施形態３と同一である。
【００５８】
（その他の実施形態）
上記実施形態１〜５では、有機ＥＬディスプレイ基板１２１とイメージセンサ基板１３１とをそれぞれ別々の基板としたものとしたが、特にこれに限定されるものではなく、同一基板上に有機ＥＬ素子１２２と光検出素子１３２とを形成したものであってもよい。但し、両者を同一基板の同一画素に併設すると、互いの開口率（有効利用面積率）が低下すること、素子構造やプロセスが複雑になり製造し難いことといったデメリットが生じる。従って、上記実施形態１〜５のような構成では、有機ＥＬ素子１２２と光検出素子１３２とを別々の基板に形成することで、互いの開口率（有効利用面積率）を犠牲にすることなく、しかも、独立して最適な素子設計をできるといったメリットがある。
【００５９】
また、上記実施形態１〜５では、画像情報検知のための有機ＥＬディスプレイ１２０の発光を線順次走査で行なうものとしたが、特にこれに限定されるものではなく、全面同時発光するものであってもよい。
【００６０】
また、上記実施形態１〜５では、画像情報検知のための有機ＥＬディスプレイ１２０の発光が完了する前に、既に画像情報を検知して保持した光検出素子１３２についての画像情報の読み取りを開始するものとしたが、特にこれに限定されるものではなく、有機ＥＬディスプレイ１２０の全体の発光が完了した後に光検出素子１３２からの画像情報の読み取りを開始するものであってもよい。
【００６１】
また、上記実施形態１〜５では、画像情報検知のための有機ＥＬディスプレイ１２０の線順位走査による発光が完了した後、直ちに光検出素子１３２からの画像情報の読み取りを開始する、具体的には、有機ＥＬディスプレイ１２０の第ｎ＋１行の走査線に走査電圧が与えられたときにイメージセンサ１３０の第ｎ行の走査線に走査電圧が与えられるものとしたが、例えば、有機ＥＬディスプレイ１２０の第ｎ＋４行の走査線に走査電圧が与えられたときにイメージセンサ１３０の第ｎ行の走査線に走査電圧が与えられるように、画像情報の取得から読み取りまでの時間が長いものであってもよい。
【００６２】
また、上記実施形態１〜５では、イメージセンサ１３０と有機ＥＬディスプレイ１２０とが同じ解像度（１対１対応）を有するものとしたが、特にこれに限定されるものではなく、例えば、イメージセンサ１３０の解像度が有機ＥＬディスプレイ１２０の倍の解像度を有するように、両者が異なる解像度を有しているものであってもよい
また、上記実施形態１〜５では、イメージセンサ１３０から取得した画像情報に基づいて有機ＥＬディスプレイ１２０に画像表示するものであるが、取得した画像をそのまま表示するものであっても、画像を拡大表示するものであっても、文章を翻訳して表示するものであっても、イメージセンサ１３０から取得した画像情報に基づいて有機ＥＬディスプレイ１２０に画像表示するものであれば何であってもよい。
【００６３】
【発明の効果】
以上説明したように、本発明によれば、自発光型の画像表示部自体が画像情報検知用光源を構成しているので、従来のもののように独立した部品としての画像情報検知用光源が必要でなく、少なくともその分だけ装置の薄型化を図ることができる。
【図面の簡単な説明】
【図１】本発明の実施形態１に係る画像入出力装置の斜視図である。
【図２】本発明の実施形態１に係る画像入出力装置の部分断面図である。
【図３】本発明の実施形態１に係る画像入出力装置の有機ＥＬディスプレイ及びイメージセンサの貼り合わせ構造を示す側面図である。
【図４】本発明の実施形態１に係る画像入出力装置の有機ＥＬディスプレイ及びイメージセンサのそれぞれの走査電圧を示す図である。
【図５】本発明の実施形態２に係る画像入出力装置の側面図である。
【図６】本発明の実施形態３に係る画像入出力装置の部分断面図である。
【図７】本発明の実施形態４に係る画像入出力装置の部分断面図である。
【図８】本発明の実施形態５に係る画像入出力装置の部分断面図である。
【図９】従来の画像入出力装置の側断面図である。
【符号の説明】
１００　画像入出力装置
１１０　装置本体
１２０　有機ＥＬディスプレイ（画像表示部）
１２１　有機ＥＬディスプレイ基板
１２２　有機ＥＬ素子
１２２ａ　透明電極
１２２ｂ　正孔注入輸送層
１２２ｃ　有機ＥＬ層
１２２ｄ　金属電極
１２３　スイッチング素子
１２４　樹脂層
１２５　封止基板
１３０　イメージセンサ（画像情報検知部、画像情報検知手段）
１３１　イメージセンサ基板
１３２　光検出素子
１３３　スイッチング素子
１３４　樹脂層
１３５　保護基板
１４０　操作スイッチ
１５０　シール材
１６０　樹脂層
１７０　遮光膜
１７１　開口部
１８０　蓋
１８１　ミラー（光反射手段）
２００　原稿
３００　画像入出力装置
３１０　ディスプレイ
３２０　光源
３３０　イメージセンサ
Ｌ　光
【図１】
2004138768.tif 000003
【図２】
2004138768.tif 000004
【図３】
2004138768.tif 000005
【図４】
2004138768.tif 000006
【図５】
2004138768.tif 000007
【図６】
2004138768.tif 000008
【図７】
2004138768.tif 000009
【図８】
2004138768.tif 000010
【図９】
2004138768.tif 000011